(57)【要約】【課題】  多汗に悩む人にとって憂鬱な毎日を、安心して、しかも快適に過ごすことができるようにするための汗染み防止アンダーウエアーを提供する。【解決手段】  編地・織地に防水性と透湿性を兼ね備えた薄く、伸縮性のあるフィルム状のウレタン系形状記憶ポリマー、例えばポリウレタン、無孔質メンブレンをラミネート加工又はコーティングした生地を使用して汗染み防止アンダーウエアーを構成する。【選択図】図１
0003171017.tif 000002
【実用新案登録請求の範囲】
【請求項１】
編地又は織地にウレタン系形状記憶ポリマーをラミネート加工又はコーティングした生地を使用したことを特徴とする汗染み防止アンダーウエアー。
【請求項２】
ウレタン系形状記憶ポリマーがポリウレタンである請求項１記載の汗染み防止アンダーウエアー。
【請求項３】
ウレタン系形状記憶ポリマーが無孔質メンブレンである請求項１記載の汗染み防止アンダーウエアー。
【請求項４】
縫い目にシームテープ加工を施してある請求項１，２又は３記載の汗染み防止アンダーウエアー。
【考案の詳細な説明】
【技術分野】
【０００１】  本考案は、多汗が原因で汗の染み出しの悩みを抱えている人が、安心して、しかも快適に、周囲に何の気兼ねもなく過ごすことが出来るようにするために開発された多重構造のアンダーウエアーに関するものである。
ここで言うアンダーウエアーとは、着用の仕方によってはアウターとしても着用可能なものも含む。
【背景技術】
【０００２】  近年、地球温暖化による夏季の気温の上昇に加え、これが節電奨励策と相俟って、とみにクールビズが叫ばれるようになり、夏を過ごしやすくするため、吸汗速乾、透湿防水、抗菌、消臭など、非常に高機能な生地が多種多様に開発されるようになってきた。
【考案の概要】
【考案が解決しようとする課題】
【０００３】  しかしながら、たとえば脇の下などの部分的な箇所が多重構造になった汗対策用のウエアーは存在していても、ウエアー全面が多重構造になった多汗による汗の染み出しの悩みを抱えている人のために開発されたアンダーウエアーはない。その理由は防水性能、透湿性能、低結露性能の３つの機能を併せ持ち、なお且つ肌着に適した薄くてしなやかで、伸縮性に優れた生地が存在しなかったからに他ならない。どの機能が欠落していても、ウエアー内のムレ感を軽減することも出来なければ、ウエアー自体が厚くなって着心地が悪くなり、とても肌着としては不適切なウエアーになってしまうからである。
【課題を解決するための手段】
【０００４】  そこで、本考案は、前記課題を解決すべく、肌着に適した薄くてしなやかな生地、たとえばストッキングのような生地に、防水性能、透湿性能、低結露性能に優れた素材をラミネート又はコーティングして新たに開発した生地と、吸汗速乾、抗菌、消臭などの機能を併せ持つ生地とを合体させることにより、多汗による汗の染み出しに悩む人のための安心・快適な多重構造のアンダーウエアーの開発を試みるにいたった。【０００５】  そして研究の結果、本考案の目的を達成させるために、生地の組成、編地、織地などに改良を加えることにより開発された肌に優しい、肌着に適した薄くてしなやかな生地に、薄く伸縮性のある無孔質のフィルム状の素材をラミネート加工又はコーティングした生地を開発することが出来た。ここで使用する素材は、無孔質のフィルム状の膜で、素材自体には孔が存在しない。そのために高い防水性能を発揮し、さらに高い透湿性があり、温度変化に応じて透湿性をコントロールすることが出来るものである。
この素材を使用して開発した生地と、吸汗速乾、抗菌、消臭などの機能を併せ持つ生地とを合体させた多重構造のアンダーウエアーは、完全な防水機能を持ち、かつ、環境適応温度調節機能を有し、温度変化を感知してアンダーウエアー内を常に快適にする機能を持つ。温度変化に対応して、アンダーウエアー内が暑くなると透湿度を高めて、汗や水蒸気や熱を放出し、寒くなると透湿度を下げて、汗や水蒸気や熱の放出を抑えて保温する機能に優れている。【０００６】  而して、本考案の要旨とするところは、生地の組成、編地、織地などに改良を加えることにより開発された肌に優しい、肌着に適した薄くてしなやかな生地に、薄く伸縮性のある無孔質のフィルム状の素材であるウレタン系形状記憶ポリマーをラミネート加工又はコーティングして開発した生地と吸汗速乾、抗菌、消臭などの機能を持つ生地とを合体させることにより開発した、多汗による汗の染み出しに悩む人のための安心・快適な多重構造のアンダーウエアーにある。【０００７】  上記構成において、ウレタン系形状記憶ポリマーをポリウレタン、あるいはウレタン系形状記憶ポリマーを無孔質メンブレンとしてもよい。また、縫い目にシームテープ加工を施してもよい。
【考案の効果】
【０００８】  本考案は、以上の構成とした結果、この素材を使用した生地を用いた多重構造のアンダーウエアーを着用することにより、この素材そのものの持つ透湿性・低結露性により、アンダーウエアー内部の湿度を自動的にコントロールして、蒸れ感をなくし、常にアンダーウエアー内を快適に保つことが出来るために、多汗に悩む人が安心で快適、そして精神的にも安定した日常生活を送ることが出来るようになる。
【図面の簡単な説明】
【０００９】
【図１】本考案に係るアンダーウエアーの一例を示す概略図である。
【図２】本考案に係るアンダーウエアーに使用した生地を合体させた場合の一例を示した概略図である。
【図３】本考案に係るアンダーウエアー用に組成、編地、織地などに改良を加えることにより開発された肌に優しい、肌着に適した薄くてしなやかな生地に、薄く伸縮性のある無孔質のフィルム状の素材であるウレタン系形状記憶ポリマーをラミネート加工又はコーティングして開発した生地の構造概略図を示すもので、編地又は織地に一層ウレタン系形状記憶ポリマーをラミネート加工又はコーティング加工したものである。
【考案を実施するための形態】
【００１０】  以下、本考案を実施するための形態に付いて、図面を参照して説明する。
【００１１】  図中、１はアンダーウエアーの肌側面である。２はアンダーウエアーの外側面である。
【００１２】  本考案に係るアンダーウエアーは、編地又は織地３にウレタン系形状記憶ポリマー４をラミネート加工又はコーティングしたものであり、これを一層設けたものである。また５は合体させる吸汗速乾、抗菌、消臭などの機能を併せ持つ生地である。
【００１３】  本考案において使用するウレタン系形状記憶ポリマー４としては、本実施形態では、ポリウレタンを使用するが、これは無孔質メンブレンとしてもよい。また、縫い目にはシームテープ加工を施してもよい。
【００１４】  この素材を使用することにより、この素材そのものの持つ透湿機能、結露防止機能により、アンダーウエアー内部の湿度を自動的にコントロールして、蒸れ感をなくし、常にアンダーウエアー内を快適に保つことが出来るために、多汗に悩む人が安心で快適、そして精神的にも安定した日常生活を送ることが出来るようになる。
【符号の説明】
【００１５】１    本考案アンダーウエアーの肌側面
２    本考案アンダーウエアーの外側面
３    編地又は織地
４    ウレタン系形状記憶ポリマー
５    吸汗速乾、抗菌、消臭などの機能を併せ持つ生地
【図１】
0003171017.tif 000003
【図２】
0003171017.tif 000004
【図３】
0003171017.tif 000005